(57)【特許請求の範囲】
【請求項１】
外側障子と内側障子の間に格子障子を配するとともに、該格子障子を施錠するロック機構を設けたことを特徴とする防犯障子付き引違い窓。
【請求項２】
請求項１に記載の防犯障子付き引違い窓において、前記ロック機構は、前記外側障子と前記格子障子とを固定するクレセントと、前記格子障子と前記内側障子とを固定するクレセントであることを特徴とする防犯障子付き引違い窓。
【請求項３】
請求項１または２に記載の防犯障子付き引違い窓において、前記格子障子は、格子枠と、該格子枠に取外し可能に取り付けた縦桟とからなり、前記格子枠は、上枠部材と下枠部材とに下溝と上溝とが設けられており、中心側縦枠部材はスリットが形成され、前記下溝と上溝とは、奥が幅広となっている略Ｔ字形の断面を有し、前記縦桟は、上下の端部がＴ字形に形成され、該Ｔ字形端部の断面は前記下溝および上溝の略Ｔ字形の断面に嵌まり込む寸法に設定され、前記縦桟は、前記スリットを挿通して下溝と上溝との間に嵌め込まれることを特徴とする防犯障子付き引違い窓。
【請求項４】
請求項３に記載の防犯障子付き引違い窓において、前記格子枠の中心側縦枠部材には、前記スリットの上端部および下端部を塞ぐ固定金具がビスにより固定されていることを特徴とする防犯障子付き引違い窓。
【請求項５】
請求項１または２に記載の防犯障子付き引違い窓において、前記格子障子の格子枠にレールを設け、前記内側障子を該レールに架設したことを特徴とする防犯障子付き引違い窓。
【発明の詳細な説明】
【０００１】
【発明の属する技術分野】
この発明は、通風と安全とが確保できるようにした防犯障子付き引違い窓に関する。
【０００２】
【従来の技術】
窓枠に引違い障子を嵌め込み、障子の前面に網戸を横移動可能に取り付けた引違い窓が多用されている。この引違い窓は、高温多湿の夏期などには全開した開口を網戸で塞ぎ、外気を室内に取り入れるようにして使用されることが多い。また、窓には防犯のため窓の外に格子を取付けることもある。
【０００３】
【発明が解決しようとする課題】
網戸は取外しが容易であり、夜間などには防犯上の問題が生じる。また、窓の外に固定される格子は、火災などの緊急時に避難の障害になりやすい。
この発明の目的は、障子を全開した状態で開口をロック機構付き格子障子で閉鎖することにより、障子の全開状態の通風を確保できるとともに、防犯および緊急時の避難口も確保できる防犯障子付き引違い窓の提供にある。
【０００４】
【課題を解決するための手段】
この発明の防犯障子付き引違い窓は、外側障子と内側障子の間に格子障子を配するとともに、該格子障子を施錠するロック機構を設けたことを特徴とする。ロック機構としては、前記外側障子と前記格子障子とを固定するクレセントと、前記格子障子と前記内側障子とを固定するクレセントとで構成すると便利である。また、格子障子は、窓枠に設けたレールに架設されて移動するが、レールを内側障子の格子枠に設けることも可能である。
【０００５】
【発明の作用および効果】
この発明では、内側障子を全開にした状態で開口を格子障子で塞ぎ、ロック機構で施錠できるので、通風および防犯が同時に達成できる。このため、夏期などに窓を全開した状態で安心して就寝できる。また、火災などの緊急時には、通常の引違い窓と同様に避難口が確保できる。
【０００６】
請求項２に記載の構成では、ロック機構は、前記外側障子と前記格子障子とを固定するクレセントと、前記格子障子と前記内側障子とを固定するクレセントとで構成されている。この構成では、安価で使い勝手に優れたロック機構が得られる。
【０００７】
請求項３に記載の構成では、格子障子は、格子枠と、該格子枠に取外し可能に取り付けた縦桟とからなり、前記格子枠は、上枠部材と下枠部材とに下溝と上溝とが設けられており、中心側縦枠部材はスリットが形成され、前記下溝と上溝とは、奥が幅広となっている略Ｔ字形の断面を有し、前記縦桟は、上下の端部がＴ字形に形成され、該Ｔ字形端部の断面は前記下溝および上溝の略Ｔ字形の断面に嵌まり込む寸法に設定され、前記縦桟は、前記スリットを挿通して下溝と上溝との間に嵌め込まれる。この構成では、縦桟の間隔および固定が確実にでき、アルミサッシで格子障子を形成する場合に有利である。
【０００８】
請求項４に記載の構成では、格子枠の中心側縦枠部材には、前記スリットの上端部および下端部を塞ぐ固定金具がビスにより固定されている。これにより、格子の不要な時期にはビスを捩じって固定金具を外し、縦桟を１つづつ外しておくことが簡単にでき、格子のない開放感を有する引違い窓が得られる。
【０００９】
請求項５に記載の構成では、格子障子の格子枠にレールを設け、前記内側障子を該レールに架設している。この構成により、外側障子および内側障子のみを有する既存の引違い窓に、内側障子の代わりに格子障子を嵌めることで、格子障子付き引違い窓を構成できる。
【００１０】
【発明の実施の形態】
図１、図２は、この発明にかかる防犯障子付き引違い窓を示し、アルミサッシまたはスチールサッシである窓枠１と、該窓枠１に横方向に滑動自在に取付けられた障子群１０とからなる。窓枠１は、上枠部材１１および下枠部材１２に各３本づつ上側レール１４および下側レール１５が突設されている。
【００１１】
障子群１０は、この実施例では、室外側に配された外側障子２、室内側に配された内側障子３、および中間に配された格子障子４とからなる。各障子２〜４は、それぞれ上側レール１４と下側レール１５とに架設されている。外側障子２および内側障子３は、障子枠２１および３１内にガラス２２および３２を嵌め込んだガラス障子となっている。なおガラス２２および３２は、金網入り、ピアノ線入り、強化ガラスなど防犯効果の高いものを使用することが望ましい。
【００１２】
格子障子４は、格子枠４１内に格子４２を嵌め込んだ構造を有する。この実施例では、格子４２は、上下を格子枠４１に固定された多数の縦桟４３と、縦桟４３間に張られた防虫網４４とからなり、格子障子４が網戸も兼ねている。格子は縦横の桟を有する井桁状、千鳥格子、その他所望のデザインのものが使用できる。また、格子として、透明な樹脂、木などを使用して閉塞感を緩和したり自然な暖かさを得ることも可能である。
【００１３】
なお、防虫網４４はなくてもよいが、格子障子に防虫網を張ることにより、通常は窓枠１の外側に設けられる網戸用のレールが省略できる利点がある。また、格子４２を、ブラインド（目隠し）として機能するデザインに構成してもよく、スチールワイヤ、鎖など目立たない材料で形成してもよい。
【００１４】
各障子２〜４には施錠のためのロック機構５が設けられている。ロック機構５は、内側障子３の障子枠３１と格子障子４の格子枠４１とを固定するためのクレセント５１、５２、および格子枠４１と外側格子２の障子枠２１とを固定するためのクレセント５３とからなる。
【００１５】
ロック機構５として、クレセント５１〜５３以外の構造の施錠手段が使用できる。また、施錠は、上記クレセント５１〜５３の如く障子枠２１、３１または格子枠４１同士を固定する構成以外に、障子枠２１、３１または格子枠４１と窓枠１とを固定する構造であってもよい。
【００１６】
クレセント５１、５２は、障子枠３１の窓中央側枠部材３１１と格子枠４１の窓中央側枠部材４１１との間に設けられている。クレセント５３は、格子枠４１の窓中央側枠部材４１１と障子枠２１の窓中央側枠部材２１１との間に設けられている。クレセント５３は、クレセント５１、５２の中間位置に取り付けられて設定されているため、操作時に干渉は生じない。
【００１７】
なお、クレセント５３が解除されレバー５３１が回動して室内側に突き出した状態では該レバー５３１が内側障子３と干渉するが、クレセント５３が固定されている状態では図１に示すごとくレバー５３１は格子枠４１の厚さ内に収まっているため、内側障子３の滑動の障害とはならない。
【００１８】
通常の引違い窓の開閉においては、クレセント５１、５２は固定してあり内側障子３と格子障子４とは一体にレール１４、１５間を滑動する。窓の開放は、クレセント５１、５２を固定したままクレセント５３を解除して内側障子３と格子障子４との連結体、または外側障子２をスライドさせ、窓枠１の右側または左側を、一部または全面開放して使用される。
【００１９】
防犯機能および通風機能を確保するときは、クレセント５１、５２を解除するとともにクレセント５３を固定しておき、内側障子３を開放する。これにより、図１に示す如く、内側障子３による開口は、格子障子４により施錠つきで塞がれ、通風と防犯が両立する。このため、夏の夜などは、クーラーの使用を減らし、省資源、環境保護、健康の増進を図ることができる。
【００２０】
この状態で、クレセント５３は、外側障子２と内側障子３との間に挟まれる。このため、縦桟４３の隙間から手を差し込んでクレセント５３を解除することは不可能である。この結果、縦桟４３の隙間が手が入る寸法であっても、防犯効果は失われない。なお、開放の程度は、全開でも図示の如く半開でもよく、内側障子３と窓枠１との間に係止手段（図示せず）を付設して所望の位置で内側障子３を係止できるようにしてもよい。
【００２１】
図３はこの発明の第２実施例を示す。この実施例では、格子障子６は、格子枠６１と、該格子枠６１に取外し可能に取り付けた縦桟６２とからなる。格子枠６１は、上枠部材６３と下枠部材６４とに、下溝６３１と上溝６４１とが設けられており、中心側縦枠部材６５にはスリット６５１が形成されている。下溝６３１と上溝６４１とは、略Ｔ字形の断面を有し、奥が幅広となっている。
【００２２】
縦桟６２は、上下の端部６２１、６２２がＴ字形に形成され、横材部分は下溝６３１および上溝６４１の略Ｔ字形の断面に対応して肉厚に形成されている。縦桟６２は、スリット６５１を挿通して下溝６３１と上溝６４１との間に嵌め込まれる。この際に、Ｔ字形の上下の端部６２１、６２２が縦桟６２の間隔を決め、かつ端部６２１、６２２が肉厚であるため、下溝６３１と上溝６４１から抜けることが防止される。
【００２３】
中心側縦枠部材６５には、スリット６５１の上端部および下端部を塞ぐ固定金具６６がビス６６１により固定されている。この構成では、固定金具６６を外すと、縦桟６２はスリット６５１から引き出すことができる。これにより、窓を開放することが不要な冬季などには、縦桟６２を取り外して、通常のガラス障子と同様に開放されたガラス窓が得られる。
【００２４】
図４は第３実施例を示す。この実施例では、内側障子３のレール３Ａ、３Ａを、格子枠４１の上側枠部材４１２および下側枠部材４１３に内側面に設けている。なお、外側障子２または内側障子３の障子枠２１または３１に格子障子４のレールを設けてもよい。
【００２５】
以上の実施例では横方向の２枚の引違い窓について説明したが、、この発明は４枚組の引違い戸、引違い玄関戸、外側障子または内側障子が上下にスライドする引違い窓にも適用でき、外側障子または内側障子の一方が固定されている引違い窓であってもよい。
【図面の簡単な説明】
【図１】防犯障子付き引違い窓の斜視図である。
【図２】防犯障子付き引違い窓の断面図である。
【図３】第２実施例の格子障子の斜視図である。
【図４】第３実施例の斜視図である。
【符号の説明】
１    窓枠
２    外側障子
３    内側障子
４    格子障子
５    ロック機構
６    格子障子
【図１】
0004291942.tif 000002
【図２】
0004291942.tif 000003
【図３】
0004291942.tif 000004
【図４】
0004291942.tif 000005